(57)【要約】【課題】容易に取り付けることができ、かつ供回りしにくいインサートを提供する。【解決手段】他の部材とネジ結合する連結部分１０３が板に設けられた挿入孔に挿入されるインサート１０において、挿入方向に延在し前記連結部分を有する胴部１０１と、胴部１０１に設けられ、前記挿入方向に直交する方向に拡がった鍔部１０２とを備え、前記鍔部１０２は、前記連結部分１０３が前記挿入孔に挿入された状態では、該挿入孔よりも該挿入孔の径方向外側に位置するものであって、このインサート１０を前記板に固定するネジの先端を該板側へ案内する貫通孔ＨＳを有するものである。【選択図】        図３
0003161356.tif 000002
【実用新案登録請求の範囲】
【請求項１】
他の部材とネジ結合する連結部分が板に設けられた挿入孔に挿入されるインサートにおいて、
挿入方向に延在し前記連結部分を有する胴部と、
前記胴部に設けられ、前記挿入方向に直交する方向に拡がった鍔部とを備え、
前記鍔部は、前記連結部分が前記挿入孔に挿入された状態では、該挿入孔よりも該挿入孔の径方向外側に位置するものであって、このインサートを前記板に固定するネジの先端を該板側へ案内する貫通孔を有するものであることを特徴とするインサート。
【請求項２】
前記鍔部は、前記胴部の前記連結部分とは反対側の端部に設けられたことを特徴とする請求項１記載のインサート。
【請求項３】
前記胴部は、周面に複数の溝が形成されたものであることを特徴とする請求項１または２記載のインサート。
【請求項４】
前記鍔部は、前記貫通孔を複数有するものであることを特徴とする請求項１から３のいずれか１項記載のインサート。
【請求項５】
請求項１から４のいずれか１項記載のインサートと、
前記貫通孔に挿入される楔用ネジとを備え、
前記胴部は、前記連結部が前記挿入孔に挿入された状態では、該挿入孔の縁との間に隙間を有するものであり、
前記貫通孔は、前記楔用ネジを傾けて前記隙間に案内することができるものであることを特徴とするインサートユニット。
【請求項６】
請求項１から４のいずれか１項記載のインサートと、
一端に刃が形成されその一端から前記板に向かって前記貫通孔に挿入されるネジとを備えたことを特徴とするインサートユニット。
【考案の詳細な説明】
【技術分野】
【０００１】
建築物を構成するプレートに取り付けられるインサートおよび、このインサートを取り付けるためのインサートユニットに関する。
【背景技術】
【０００２】
照明器具等を固定するためのボルトを壁や天井に取り付けるために、壁や天井を構成するプレートに前もって設置されるインサートと呼ばれるものがある。こうしたインサートについて、容易に設置することができるもの（例えば特許文献１）が提案されている。
【先行技術文献】
【特許文献】
【０００３】
【特許文献１】特開２００６−２６９１６号公報
【考案の概要】
【考案が解決しようとする課題】
【０００４】
特許文献１に記載差入れたインサートは、プレートに設置して頭部をハンマーで叩くだけで容易に設置することができるものである。しかし、このインサートにボルトを取り付けると、その取り付け作業時のトルクによってボルトと一緒に回転してしまう、いわゆる供回りが生じることがある。この場合、照明器具等を十分固定することができないという問題がある。
【０００５】
上記課題に鑑み本考案は、容易に取り付けることができ、かつ供回りしにくいインサートを提供することを目的とする。
【課題を解決するための手段】
【０００６】
上記事情に鑑み、本考案のインサートは、
他の部材とネジ結合する連結部分が板に設けられた挿入孔に挿入されるインサートであって、
挿入方向に延在し上記連結部分を有する胴部と、
上記胴部に設けられ、上記挿入方向に直交する方向に拡がった鍔部とを備え、
上記鍔部が、上記連結部分が上記挿入孔に挿入された状態では、その挿入孔よりもその挿入孔の径方向外側に位置するものであって、このインサートを上記板に固定するネジの先端をその板側へ案内する貫通孔を有するものであることを特徴とする。
【０００７】
本考案のインサートによれば、インサートに設けられた貫通孔にネジを挿入してプレートに固定することにより、供回りを防止することができる。また、設置の際の手間も従来のものと比較してネジを挿入する手間が追加されるだけですむ。
【０００８】
ここで、上記インサートは、
上記鍔部が、上記胴部の上記連結部分とは反対側の端部に設けられたものであってもよい。
【０００９】
このインサートによれば、プレートに設置された状態で胴部がプレートからあまり出っ張らないため、プレート上の作業者が設置されたインサートにつまずかないようにすることができる。
【００１０】
また、上記インサートは、
上記胴部が、周面に複数の溝が形成されたものであってもよい。
【００１１】
このインサートによれば、プレートとインサートの間に生じる摩擦力が大きくなり、供回りを防ぐことができる。
【００１２】
さらに、上記インサートは、
上記鍔部が、上記貫通孔を複数有するものであってもよい。
【００１３】
このインサートによれば、複数のネジを用いてインサートをプレートに固定することができるため、より強く固定することができる。
【００１４】
上記事情に鑑み、本考案の第２インサートユニットは、
上記インサートと、
上記貫通孔に挿入される楔用ネジとを備え、
上記胴部は、上記連結部が上記挿入孔に挿入された状態では、その挿入孔の縁との間に隙間を有するものであり、
上記貫通孔は、上記楔用ネジを傾けて上記隙間に案内することができるものであることを特徴とする。
【００１５】
本考案の第２インサートユニットによれば、インサートをプレートに挿入したときに生じる隙間に楔用ネジを挿入することによって、インサートをプレートに容易に固定することができる。
【００１６】
上記事情に鑑み、本考案の第１インサートユニットは、
上記インサートと、
一端に刃が形成されその一端から上記板に向かって上記貫通孔に挿入されるネジとを備えたことを特徴とする。
【００１７】
本考案の第１インサートユニットによれば、プレートとインサートを固定するネジに刃が形成されており、プレートにネジを容易に取り付けられるため、作業負担を軽減することができる。
【考案の効果】
【００１８】
本考案によれば、容易に取り付けることができ、かつ供回りしにくいインサートを提供することができる。
【図面の簡単な説明】
【００１９】
【図１】一般的なインサートの使用態様を示す図である。
【図２】本実施形態のインサートユニットを示す斜視図である。
【図３】本実施形態のインサートを示す六面図である。
【図４】本実施形態のインサートユニットの設置方法を示す図である。
【図５】先端に刃が形成されたネジを示す図である。
【図６】本実施形態のインサートの、図４とは異なる設置方法を示す図である。
【図７】図２に示すインサートの強度試験の結果を表で示す図である。
【図８】図３に示す本実施形態のインサートにさらに貫通孔ＨＳを設けた様子を示す六面図である。
【図９】図８に示す本実施形態のインサートが設置された様子を示す図である。
【図１０】図３に示す本実施形態のインサートにさらに貫通孔ＨＳを設けた様子を示す六面図である。
【図１１】図１０に示す本実施形態のインサートが設置された様子を示す図である。
【考案を実施するための形態】
【００２０】
以下、図面を用いて本考案のインサートおよびインサートユニットについて説明する。まず、一般的なインサートについて説明する。
【００２１】
図１は、一般的なインサートＩＮの使用態様を示す図である。
【００２２】
図１（ａ）には、デッキプレートＰＬが示されている。このデッキプレートＰＬは、主に天井を形成するために使用される金属製の板であるが、天井を形成する用途に限定されるものではない。ここでは、このデッキプレートＰＬを設置した後に、コンクリートを打設して天井（階上の床）を形成することを想定して説明を続ける。
【００２３】
図１（ｂ）には、図１（ａ）に示すデッキプレートＰＬの一部の拡大図と、この部分に設置されるインサートＩＮが示されている。このデッキプレートＰＬには孔ＨＩが形成され、この孔ＨＩにインサートＩＮが設置される。
【００２４】
図１（ｃ）には、図１（ｂ）に示すインサートＩＮが孔ＨＩに設置された様子を示す断面図である。インサートＩＮには、図１（ｃ）の下方向からボルトを取り付けることができるように雌ネジが形成されている。図１（ｃ）には、このインサートＩＮにボルトＢＯの上端が挿入される様子が示されている。インサートＩＮに取り付けられたボルトＢＯの下端側には、例えば照明器具や配管器具が取り付けられる。
【００２５】
インサートＩＮは、デッキプレートＰＬの上面に打設されたコンクリートによって固定される。インサートＩＮの図の左右方向に延びた鍔部ＢＲは、デッキプレートＰＬに引っかかるように形成され、ボルトＢＯ側から引っ張られても移動しないようになっている。すなわち、ボルトＢＯに取り付けられた器具を、このインサートＩＮを介して天井に固定することができる。
【００２６】
しかしながら、インサートＩＮにボルトＢＯを取り付ける際に、インサートＩＮがボルトＢＯと供回りしてしまうことがある。また、供回りすることを恐れるあまり、十分にボルトＢＯが締め付けられないこともある。このような状態のボルトＢＯは不安定であり、このため器具が取り付けられてもその器具を十分に支えることができない。
【００２７】
ここまで、デッキプレートＰＬにコンクリートを打設する場合について説明したが、近年では、天井の軽量化のためコンクリートを打設せずに断熱材と防水シートで天井を形成する場合がある。デッキプレートＰＬにコンクリートが打設されないと、インサートＩＮはデッキプレートＰＬによってのみ固定されることになり、このため、コンクリートを打設した場合と比べてボルトＢＯがより不安定になる。
【００２８】
以降説明する本考案のインサートおよびインサートユニットは、上記問題を解決するためのものである。
【００２９】
図２は、本実施形態のインサートユニットを示す斜視図である。
【００３０】
図２に示す本実施形態のインサートユニット１は、本実施形態のインサート１０とネジ２０とを備えている。このインサート１０は、ＳＷＲＣＨ材を用いたものであり、胴部１０１と鍔部１０２とを備えている。胴部１０１にはその周面に滑り止めの溝が複数形成されており、さらに内部にはボルトを取り付けるための雌ネジが形成された取り付け部１０３が設けられている。鍔部１０２は、胴部１０１のうち、取り付け部１０３が設けられた端部とは反対側の端部に設けられたものであり、ネジ２０を通すための貫通孔ＨＳが形成されたものである。ネジ２０は、貫通孔ＨＳに通してインサート１０を固定するためのものである。以下、この鍔部１０２が設けられた側を上側と称し、取り付け部１０３が設けられた側を下側と称する。
【００３１】
図３は、本実施形態のインサート１０を示す六面図である。この図３において、（ａ）は平面図（上側から見た図）であり、（ｂ）は右断面図であり、（ｃ）は正面図、および正面側から見た断面図であり、（ｄ）は左断面図であり、（ｅ）は底面図（下側から見た図）であり、（ｆ）は背面側から見た断面図である。図３（ｃ）は、左側正面図、右側に正面側から見た断面図が示されているが、この正面図に示すインサート１０の外観は、左側面図、右側面図、および背面図において共通するため、記載を省略する。図３（ｂ）、（ｃ）、（ｄ）、および（ｆ）に示す各断面図には、インサート１０の胴部１０１の内部に取り付け部１０３が設けられている様子が示されている。また、これらの図には、鍔部１０２が、胴部１０１の径方向外側に位置している様子が示されている。
【００３２】
次に、図４を用いて図２に示すインサート１０の設置方法について説明する。同図は本実施形態のインサート１０の設置方法を示す図である。
【００３３】
まず、図４（ａ）に示すように、ドリルＤＯでデッキプレートＰＬに孔をあける（穿孔工程）。このとき孔の径はインサート１０の胴部１０１の径よりも大きく、かつインサート１０の鍔部１０２の径よりも小さくなるように孔の大きさを決定する。ここでは、胴部１０１の径は１２ｍｍ、鍔部１０２の径は２８ｍｍ、デッキプレートＰＬにあけた孔の径は１５ｍｍであるものとして説明を続ける。
【００３４】
次にインサート１０を、ボルトを取り付ける取り付け部１０３側からデッキプレートＰＬに挿入する（配置工程）。図４（ｂ）には、図４（ａ）であけた孔にインサート１０を挿入する様子が示されている。このとき貫通孔ＨＳがある側とは反対側にインサート１０を寄せて挿入する。
【００３５】
最後に、インサート１０の貫通孔ＨＳから、胴部１０１とデッキプレートＰＬの隙間ＳＰに向けてドライバーＳＤでネジ２０を挿入する（固定工程）。図４（ｃ）には、インサート１０をネジ２０で固定している様子が示されている。ネジ２０の径は４ｍｍであり、上記隙間より若干大きい。このため、ネジ２０を挿入すると、インサート１０およびデッキプレートＰＬが押し拡げられて変形する。このネジ２０が楔の役割を果たし、インサート１０とデッキプレートＰＬとの間に密着力が生じる。この密着力が、ボルトを取り付ける際に供回りする力に対抗し、供回りを防止することができる。なお、この図４に示すネジ２０は、本考案における楔ネジの一例に相当する。また、ネジ２０には、市販のネジを用いることができる。
【００３６】
インサート１０の胴部１０１には溝が複数形成されているため、上記密着力によってより供回りしにくくすることができる。さらに、胴部１０１の軸周りに回転する力だけでなく、図の上下方向の力に対しても動かないようにすることができる。例えば、地震等によって上下方向の力が加わっても、インサート１０がデッキプレートＰＬから外れないようにすることができる。すなわち、インサート１０は、デッキプレートＰＬにコンクリートを打設するか否かに関わらず、デッキプレートＰＬに密着させることができるものである。
【００３７】
このインサート１０は、デッキプレートＰＬに胴部１０１より大きい孔を形成するため、設置がしやすい。さらに、従来の取り付け作業にネジ２０を挿入する手間がかかるだけであり、簡単な作業ですむ。また、従来のインサートに孔を設けるだけの簡単な加工をするだけで製造できるため、製造コストを低く抑えることができる。なお、この設置方法を採用する場合には、ネジ２０の先端が胴部１０１に近づくように貫通孔ＨＳを斜めに設けてもよい。また、本実施形態のインサート１０は取り付け部１０３に雌ネジが形成されたものであるが、雄ネジが形成されたものであってもよい。
【００３８】
本実施形態のインサート１０は、デッキプレートＰＬに設置されてもデッキプレートＰＬからあまり出っ張らない。このため、デッキプレートＰＬの上を歩く作業者がインサート１０に躓いて転倒するような事態を軽減することができる。
【００３９】
次に、図４に示す設置方法とは異なる、インサート１０の設置方法について説明する。まず、図５を用いて、この設置方法に使用するネジについて説明する。同図は、先端に刃が形成されたネジを示す図である。
【００４０】
図５（ａ）には、いわゆるテクスビスと呼ばれる、先端にドリル状の刃ＢＬが形成されたネジ２０が示されている。図５（ｂ）は、この図５（ａ）に示す線Ａ−Ａ’に断面を示す図である。このネジ２０は、先端に形成された刃ＢＬによって通常のネジよりも貫通力が高いものであり、金属のような硬い材質に対しても下孔をあけることなく容易に挿入できるようにしたものである。
【００４１】
図６は本実施形態のインサート１０の、図４とは異なる設置方法を示す図である。
【００４２】
この図６に示す設置方法では、図５に示すネジ２０を使用する。まず、図６（ａ）に示すように、ドリルＤＯでデッキプレートＰＬに孔をあける。このとき図４に示す隙間ＳＰを設ける必要はなく、孔の径はインサート１０の胴部１０１の径とほぼ同じ大きさでよい。
【００４３】
次にインサート１０を、ボルトを取り付ける取り付け部１０３側からデッキプレートＰＬに挿入する。図６（ｂ）には、図６（ａ）であけた孔にインサート１０を挿入する様子が示されている。
【００４４】
最後に、ドライバーＳＤを用いて、インサート１０の貫通孔ＨＳからデッキプレートＰＬに向けて垂直にネジ２０を挿入する。図６（ｃ）には、インサート１０をネジ２０で固定している様子が示されている。ネジ２０は金属にも容易に挿入できるため、特に作業に手間はかからない。このネジ２０によってインサート１０はデッキプレートＰＬに固定されるため、供回りを防止することができる。また、上下方向の力に対してもインサート１０がデッキプレートＰＬから外れないようにすることができる。
【００４５】
この設置方法の場合でも、図４の場合と同様に、従来の取り付け作業にネジ２０を挿入する手間がかかるだけであり、このため簡単な作業で取り付けることができる。
【００４６】
図７は、図２に示すインサート１０の強度試験の結果を表で示す図である。
【００４７】
この強度試験は、２０ｃｍ四方を固定した厚さ１．０ｍｍのデッキプレートの中央にインサート１０を取り付け、そのインサート１０に取り付けられたボルトにかかる張力を強くしていき、デッキプレートが破壊された際の張力を測定するものである。図７には、１０．８６ｋＮ（１１０７ｋｇｆ）の張力を加えたときにデッキプレートが破壊されたことが示されている。この結果から、通常屋内に設置される照明器具や配管器具等を十分に支えることができる。
【００４８】
ここまで、貫通孔ＨＳが一つの場合のインサート１０について説明したが、この貫通孔ＨＳは一つに限らず複数あってもよい。以下、貫通孔ＨＳが複数ある場合について説明する。
【００４９】
図８は、図３に示す本実施形態のインサート１０にさらに貫通孔ＨＳを設けた様子を示す六面図である。ここでは、説明をわかりやすくするため、図３と異なる部分について説明し、図３と共通する部分については説明を省略する。図８に示すインサート１０は、図３に示すインサート１０にさらに貫通孔ＨＳを設けたものである。図８（ａ）には、インサート１０の中心と２つの貫通孔ＨＳの中心とを結ぶ線が直角になる位置に、２つの貫通孔ＨＳが設けられている様子が示されている。この２つの貫通孔ＨＳにそれぞれネジ２０を通して、インサート１０をデッキプレートＰＬに固定することができる。
【００５０】
図９は、デッキプレートの孔に挿入されたインサート１０およびネジ２０との位置関係を示す断面模式図である。なお、この図は、デッキプレートの孔の径方向の断面を示す図である。
【００５１】
図９（ａ）には、図４に示す方法で固定された場合において、デッキプレートＰＬにあけられた孔と、この孔に固定されたインサート１０およびネジ２０との位置関係が示されている。また、図９（ｂ）には、図８に示すインサート１０を使用した場合におけるインサート１０とネジ２０との位置関係が示されている。以下、図９（ｂ）に示す位置関係にするためのインサート１０の設置方法について説明する。
【００５２】
基本的な設置の流れについては図４を用いて説明したものと同様である。ただし、図４の場合ではデッキプレートＰＬに１５ｍｍの孔をあけたが、ここでは１６ｍｍの孔をあける。この孔にインサート１０を挿入するが、その際貫通孔ＨＳの下に隙間ＳＰが見えるように、デッキプレートＰＬの孔の内壁に寄せておく。２つの貫通孔ＨＳのそれぞれからこの隙間ＳＰに向けてネジ２０を挿入し、２本のネジで隙間ＳＰを押し拡げることよってインサート１０を固定することができる。
【００５３】
図９（ａ）の場合には、２か所（図中のＰ１，Ｐ２参照）でインサート１０が固定されることになる。これに対して、図９（ｂ）の場合には３か所（図中のＰ３，Ｐ４，およびＰ５参照）でインサート１０が固定されるため、インサート１０がより安定する。なお、貫通孔ＨＳは、この貫通孔ＨＳから隙間ＳＰにネジ２０を挿入したときに、インサート１０がデッキプレートＰＬに押しつけられる位置にあればよい。また、貫通孔ＨＳの数は２つに限らず、例えば貫通孔ＨＳを３つ設けてもよい。
【００５４】
図１０は、図３に示す本実施形態のインサート１０にさらに貫通孔ＨＳを設けた様子を示す六面図である。ここでは、説明をわかりやすくするため、図３と異なる部分について説明し、図３と共通する部分については説明を省略する。図１０に示すインサート１０は、図３に示すインサート１０にさらに貫通孔ＨＳを設けたものである。図１０（ａ）には、２つの貫通孔ＨＳが、インサート１０の中心部分に対して対照となる位置に設けられている様子が示されている。この２つの貫通孔ＨＳにそれぞれネジ２０を通して、インサート１０をデッキプレートＰＬに固定することができる。
【００５５】
図１１は、図１０に示す本実施形態のインサート１０が設置された様子を示す図である。
【００５６】
図１０に示すインサート１０は、図５に示すネジ２０を２本用意し、図６に示す設置方法を応用してデッキプレートＰＬに固定することができる。具体的には、図１０に示すインサート１０をデッキプレートＰＬに挿入した後（図６（ｂ）参照）、２つの貫通孔ＨＳのそれぞれから用意した２本のネジ２０をデッキプレートＰＬに挿入する。図１１には、図５に示すネジ２０を２本用いて、デッキプレートＰＬに図１０に示すインサート１０を固定した様子が示されている。
【００５７】
上記説明したように、インサート１０に貫通孔ＨＳを複数設けることによって、複数のネジ２０を用いてインサート１０をデッキプレートＰＬにより確実に固定することができる。
【符号の説明】
【００５８】
１  インサートユニット
１０  インサート
１０１  胴部
１０２  鍔部
１０３  取り付け部
２０  ネジ
ＨＳ  貫通孔
ＰＬ  デッキプレート
ＢＯ  ボルト
【図１】
0003161356.tif 000003
【図２】
0003161356.tif 000004
【図３】
0003161356.tif 000005
【図５】
0003161356.tif 000006
【図７】
0003161356.tif 000007
【図８】
0003161356.tif 000008
【図９】
0003161356.tif 000009
【図１０】
0003161356.tif 000010
【図１１】
0003161356.tif 000011
【図４】
0003161356.tif 000012
【図６】
0003161356.tif 000013